【手続補正書】
【提出日】平成19年1月25日(2007.1.25)
【手続補正１】
【補正対象書類名】特許請求の範囲
【補正対象項目名】全文
【補正方法】変更
【補正の内容】
【特許請求の範囲】
【請求項１】
基板上に形成された複数のゲート配線と、
前記ゲート配線と絶縁膜を介して交差するソース配線と、
前記ソース配線と接続されたスイッチング素子と、
前記スイッチング素子を介して前記ソース配線と接続され、液晶を駆動する駆動電圧に基づく画素電位が入力される画素電極と、
前記画素電極と対向配置され、共通電位が入力される共通電極とを備え、
前記画素電極の画素電位と前記共通電極の共通電位によって生じる電界に基づいて、前記基板と水平な方向に液晶を駆動する液晶表示装置であって、
前記液晶表示装置の１水平周期において、前記画素電極に画素電位を書き込む書き込み期間と前記画素電位を書き込まない非書き込み期間とを有するよう前記ゲート配線に走査信号を入力し、
前記書き込み期間において前記ソース配線に前記画素電位を入力し、前記非書き込み期間において前記ソース配線に画素電位よりも前記共通電位に近い電位を入力する液晶表示装置。
【請求項２】
前記非書き込み期間において、前記ソース配線に前記共通電位と略等しい電位が入力される請求項１記載の液晶表示装置。
【請求項３】
隣接する前記ソース配線に印加される前記画素電位の極性が異なるよう反転駆動され、
前記非書き込み期間において、前記ソース配線を他のソース配線と電気的に接続することにより前記共通電位に近い電位を入力する請求項１記載の液晶表示装置。
【請求項４】
所定の階調電圧に基づいて前記画素電位を前記ソース配線に入力する駆動回路と、
供給された参照電圧に基づいて前記階調電圧を前記駆動回路に供給する電圧供給回路とをさらに備え、
前記参照電圧を変化させることにより前記ソース配線に画素電位よりも前記共通電位に近い電位を入力する請求項１又は２記載の液晶表示装置。
【請求項５】
基板上に形成された複数のゲート配線と、
前記ゲート配線と絶縁膜を介して交差するソース配線と、
前記ソース配線と接続されたスイッチング素子と、
前記スイッチング素子を介して前記ソース配線と接続され、液晶を駆動する駆動電圧に基づく画素電位が入力される画素電極と、
前記画素電極と対向配置され、共通電位が入力される共通電極とを備え、
前記画素電極の画素電位と前記共通電極の共通電位によって生じる電界に基づいて、前記基板と水平な方向に液晶を駆動する液晶表示装置の駆動方法であって、
１水平周期において、
前記画素電極に画素電位を書き込む書き込み期間を形成するよう前記ゲート配線に走査信号を供給するステップと、
前記書き込み期間において前記ソース配線に前記画素電位を入力するステップと、
前記画素電位を書き込まない非書き込み期間を有するようゲート配線に走査信号を供給するステップと、
前記非書き込み期間において前記ソース配線に画素電位よりも前記共通電位に近い電位を入力するステップとを有する液晶表示装置の駆動方法。
【請求項６】
前記非書き込み期間において前記ソース配線に前記共通電位と略等しい電位を入力する請求項５記載の液晶表示装置の駆動方法。
【請求項７】
基板上に形成された複数のゲート配線と、
前記ゲート配線と絶縁膜を介して交差するソース配線と、
前記ソース配線と接続されたスイッチング素子と、
前記スイッチング素子を介して前記ソース配線と接続され、液晶を駆動する駆動電圧に基づく画素電位が入力される画素電極と、
前記画素電極と対向配置され、共通電位が入力される共通電極とを備え、
前記画素電極の画素電位と前記共通電極の共通電位によって生じる電界に基づいて、前記基板と水平な方向に液晶を駆動する液晶表示装置であって、
前記液晶表示装置の１水平周期に対応する期間において、
前記スイッチング素子がＯＮからＯＦＦに切り替わるタイミングを含む第１の期間と、
前記第１の期間よりも前に存在する第２の期間とを有し、
前記第１の期間において、前記ソース配線に前記画素電位を入力し、前記第２の期間において前記ソース配線に画素電位よりも前記共通電位に近い電位を入力する液晶表示装置。
【請求項８】
基板上に形成された複数のゲート配線と、
前記ゲート配線と絶縁膜を介して交差するソース配線と、
前記ソース配線と接続されたスイッチング素子と、
前記スイッチング素子を介して前記ソース配線と接続され、液晶を駆動する駆動電圧に基づく画素電位が入力される画素電極と、
前記画素電極と対向配置され、共通電位が入力される共通電極とを備え、
前記画素電極の画素電位と前記共通電極の共通電位によって生じる電界に基づいて、前記基板と水平な方向に液晶を駆動する液晶表示装置の駆動方法であって、
前記液晶表示装置の１水平周期に対応する期間において、
前記ソース配線に画素電位よりも前記共通電位に近い電位を入力するステップと、
前記ソース配線に前記画素電位よりも前記共通電位に近い電位を入力した後、前記スイッチング素子がＯＮからＯＦＦに切り替わるタイミングまで、画素電位を供給するステップとを備える液晶表示装置の駆動方法。
【手続補正２】
【補正対象書類名】明細書
【補正対象項目名】００１６
【補正方法】変更
【補正の内容】
【００１６】
本発明の第１の態様にかかる液晶表示装置は、基板（例えば、本発明の実施の形態にかかるＴＦＴアレイ基板１００）上に形成された複数のゲート配線（例えば、本発明の実施の形態にかかるゲート配線１）と、前記ゲート配線と絶縁膜を介して交差するソース配線（例えば、本発明の実施の形態にかかるソース配線３）と、前記ソース配線と接続されたスイッチング素子（例えば、本発明の実施の形態にかかるＴＦＴ１００）と、前記スイッチング素子を介して前記ソース配線と接続され、液晶を駆動する駆動電圧に基づく画素電位（例えば、本発明の実施の形態にかかるＶｓ）が入力される画素電極（例えば、本発明の実施の形態にかかる画素電極６）と、前記画素電極と対向配置され、共通電位（例えば、本発明の実施の形態にかかる共通電位Ｖｃｏｍ）が入力される共通電極（例えば、本発明の実施の形態にかかる共通電極５）とを備え、前記画素電極の画素電位と前記共通電極の共通電位によって生じる電界に基づいて、前記基板と水平な方向に液晶を駆動する液晶表示装置であって、前記液晶表示装置の１水平周期において、前記画素電極に画素電位を書き込む書き込み期間（例えば、本発明の実施の形態１にかかる書き込み期間Ａ）と前記画素電位を書き込まない非書き込み期間（例えば、本発明の実施の形態１にかかる非書き込み期間Ｂ）とを有するよう前記ゲート配線に走査信号を入力し、前記書き込み期間において前記ソース配線に前記画素電位を入力し、前記非書き込み期間において前記ソース配線に画素電位よりも前記共通電位に近い電位を入力するものである。これにより、画素電極６とソース配線３の間のエラー電界を低減することができ、表示品質を向上することができる。
【手続補正３】
【補正対象書類名】明細書
【補正対象項目名】００２０
【補正方法】削除
【補正の内容】
【手続補正４】
【補正対象書類名】明細書
【補正対象項目名】００２１
【補正方法】変更
【補正の内容】
【００２１】
本発明の第６の態様にかかる液晶表示装置の駆動方法は、基板上に形成された複数のゲート配線と、前記ゲート配線と絶縁膜を介して交差するソース配線と、前記ソース配線と接続されたスイッチング素子と、前記スイッチング素子を介して前記ソース配線と接続され、液晶を駆動する駆動電圧に基づく画素電位が入力される画素電極であって、前記ソース配線とほぼ平行に形成された部分を有する画素電極と、前記画素電極と対向配置され、共通電位が入力される共通電極とを備え、前記画素電極の画素電位と前記共通電極の共通電位によって生じる電界に基づいて、前記基板と水平な方向に液晶を駆動する液晶表示装置の駆動方法であって、１水平周期において、前記画素電極に画素電位を書き込む書き込み期間を形成するよう前記ゲート配線に走査信号を供給するステップと、前記書き込み期間において前記ソース配線に前記画素電位を入力するステップと、前記画素電位を書き込まない非書き込み期間を有するようゲート配線に走査信号を供給するステップと、前記非書き込み期間において前記ソース配線に画素電位よりも前記共通電位に近い電位を入力するステップとを有するものである。これにより、画素電極６とソース配線３の間のエラー電界を低減することができ、表示品質を向上することができる。
【手続補正５】
【補正対象書類名】明細書
【補正対象項目名】００２３
【補正方法】削除
【補正の内容】
【手続補正６】
【補正対象書類名】明細書
【補正対象項目名】００２４
【補正方法】変更
【補正の内容】
【００２４】
本発明の第９の態様にかかる液晶表示装置は基板上に形成された複数のゲート配線と、前記ゲート配線と絶縁膜を介して交差するソース配線と、前記ソース配線と接続されたスイッチング素子と、前記スイッチング素子を介して前記ソース配線と接続され、液晶を駆動する駆動電圧に基づく画素電位が入力される画素電極と、前記画素電極と対向配置され、共通電位が入力される共通電極とを備え、前記画素電極の画素電位と前記共通電極の共通電位によって生じる電界に基づいて、前記基板と水平な方向に液晶を駆動する液晶表示装置であって、前記液晶表示装置の１水平周期に対応する期間において、前記スイッチング素子がＯＮからＯＦＦに切り替わるタイミングを含む第１の期間と、前記第１の期間よりも前に存在する第２の期間とを有し、前記第１の期間において、前記ソース配線に前記画素電位を入力し、前記第２の期間において前記ソース配線に画素電位よりも前記共通電位に近い電位を入力するものである。これにより、画素電極６とソース配線３の間のエラー電界を低減することができ、開口率を向上することができる。
【手続補正７】
【補正対象書類名】明細書
【補正対象項目名】００２５
【補正方法】変更
【補正の内容】
【００２５】
本発明の第１０の態様にかかる液晶表示装置は基板上に形成された複数のゲート配線と、前記ゲート配線と絶縁膜を介して交差するソース配線と、前記ソース配線と接続されたスイッチング素子と、前記スイッチング素子を介して前記ソース配線と接続され、液晶を駆動する駆動電圧に基づく画素電位が入力される画素電極と、前記画素電極と対向配置され、共通電位が入力される共通電極とを備え、前記画素電極の画素電位と前記共通電極の共通電位によって生じる電界に基づいて、前記基板と水平な方向に液晶を駆動する液晶表示装置の駆動方法であって、前記液晶表示装置の１水平周期に対応する期間において、前記ソース配線に画素電位よりも前記共通電位に近い電位を入力するステップと、前記ソース配線に前記画素電位よりも前記共通電位に近い電位を入力した後、前記スイッチング素子がＯＮからＯＦＦに切り替わるタイミングまで、画素電位を供給するステップとを備えるものである。これにより、画素電極６とソース配線３の間のエラー電界を低減することができ、開口率を向上することができる。